(57)【特許請求の範囲】
【請求項１】
バックホウのブームに着脱するベース部に回転ヘッドを設け、該回転ヘッドの外周面にワイヤロープにより構成した多数のワイヤブラシを放射状に突設し、前記ベース部にストッパを突設し、該ストッパの先端を前記ワイヤブラシの根本位置と先端位置との間の中途の位置に設定するとともに、前記ストッパを伸縮可能に構成した海中岩盤付着物除去アタッチメント。
【請求項２】
前記ワイヤブラシの一端部に加締めた金属スリーブを設け、該金属スリーブを着脱可能なホルダ部を前記回転ヘッドの外周面に設け、該ホルダ部に前記金属スリーブを装着することにより前記ワイヤブラシを前記回転ヘッドの外周面に放射状に突設するように構成した請求項１に記載の海中岩盤付着物除去アタッチメント。
【請求項３】
請求項１または２に記載の海中岩盤付着物除去アタッチメントをバックホウのブームに装着して構成した海中岩盤付着物除去装置。
【発明の詳細な説明】
【技術分野】
【０００１】
本発明は、海中岩盤付着物除去アタッチメントおよび海中岩盤付着物除去装置に関し、さらに詳しくは、むらの無いように海中岩盤に付着したサンゴ藻等の石灰藻類、雑草藻類等を除去するとともに、その際に削られる海中岩盤の量を抑えることができるバックホウ用の海中岩盤付着物除去アタッチメントおよびこのアタッチメントを用いた海中岩盤付着物除去装置に関するものである。
【背景技術】
【０００２】
海中の岩盤にサンゴ藻等の石灰藻類が付着するいわゆる磯焼けが近年、大きな問題となっている。磯焼けした岩盤は石灰質に覆われているため、海藻類の胞子が付着することができず、海藻類が繁殖しなくなる。これに伴い、魚介類にとっては生息しにくい環境となり、魚場としての環境が悪化するという問題を引き起こしている。
【０００３】
従来、磯焼け対策として、回転ヘッドに柔軟性のあるスチールロッドを放射状に組付け、これを水中バックホウのアタッチメント構造にして回転ヘッドを回転させ、岩盤に付着したサンゴ藻や雑草藻類の付着物を除去する方法が提案されている（特許文献１参照）。この提案のアタッチメントを用いることにより、岩盤の表面のみを削るだけで付着物をむらの無いように除去することができる。
【０００４】
しかしながら、岩盤表面の削り片が周囲に散乱するので、新たな海藻類の胞子が削り片に付着することにより、削り片とともに流失して、海藻類が繁殖しにくくなるという問題があった。そこで、この削り片の散乱を防止しようとすれば、特許文献１で提案されているような、削り片を吸い込む特別な吸込み装置を設ける必要があった。
【特許文献１】特開２００１−２２０７２５号公報
【発明の開示】
【発明が解決しようとする課題】
【０００５】
本発明の目的は、むらの無いように海中岩盤に付着した石灰藻類等を除去するとともに、その際に削られる海中岩盤の量を抑えることができるバックホウ用の海中岩盤付着物除去アタッチメントおよびこのアタッチメントを用いた海中岩盤付着物除去装置を提供することにある。
【課題を解決するための手段】
【０００６】
上記目的を達成するため、本発明の海中岩盤付着物除去アタッチメントは、バックホウのブームに着脱するベース部に回転ヘッドを設け、該回転ヘッドの外周面にワイヤロープにより構成した多数のワイヤブラシを放射状に突設し、前記ベース部にストッパを突設し、該ストッパの先端を前記ワイヤブラシの根本位置と先端位置との間の中途の位置に設定するとともに、前記ストッパを伸縮可能に構成したことを特徴とするものである。
【０００７】
また、本発明の海中岩盤付着物除去装置は、上記に記載の海中岩盤付着物除去アタッチメントをバックホウのブームに装着して構成したことを特徴とするものである。
【発明の効果】
【０００８】
本発明の海中岩盤付着物除去アタッチメントおよび海中岩盤付着物除去装置によれば、ワイヤブラシを構成するワイヤロープは、岩盤や石灰藻類などの岩盤の付着物に繰り返し接触することでストランドの撚りが徐々に解け、スチールロッドに比べ屈曲し易くなり、岩盤の凹凸に密に追従して、むらの無いように岩盤の付着物を削り取って除去することができる。
【０００９】
このように、ワイヤブラシ（ワイヤロープ）が岩盤の凹凸に追従して付着物を除去するので、岩盤に過度の力が加わることがなく、除去作業の際に削られる岩盤の量を最小限にすることができる。これにより、岩盤の削り片が周囲に散乱することがなくなり、削り片を吸い込むための特別な装置も不要となる。また、ベース部にストッパを突設し、該ストッパの先端をワイヤブラシの根本位置と先端位置との間の中途の位置に設定するとともに、ストッパを伸縮可能に構成することにより、ベース部や回転ヘッドを岩盤に衝突させて破損するようなトラブルや岩盤を大規模に破砕するようなトラブルを防止することができ、作業現場に合わせてストッパの突出長さを迅速に設定することができる。
【発明を実施するための最良の形態】
【００１０】
以下、本発明の海中岩盤付着物除去アタッチメントおよび海中岩盤付着物除去装置を図に示した実施形態に基づいて説明する。
【００１１】
図１に例示するように、本発明の海中岩盤付着物除去装置１は、水中バックホウ２のブーム２ａに本発明の海中岩盤付着物除去アタッチメント３（以下、アタッチメント３という）を装着して構成されている。
【００１２】
このアタッチメント３は、図２、３に例示するように水中バックホウ２のブーム２ａに着脱するベース部４から円筒状の回転ヘッド５を片持ち状態で支持している。回転ヘッド５は円柱状でもよく、その他の筒状体、柱状体にすることもできる。ベース部４には、水中バックホウ２の油圧系統により駆動する油圧モータが内設され、この油圧モータにより回転ヘッド５が回転する。回転ヘッド５の外周面には、岩盤Ｒに付着したサンゴ藻等の石灰藻類や雑草藻類などの付着物Ｃを削り取るための多数のワイヤブラシ８が放射状に突設されている。ワイヤブラシ８の数は、例えば、８０〜１２０本、長さは２０ｃｍ〜５０ｃｍ程度であるが、この範囲に限定されるものではない。
【００１３】
これら多数のワイヤブラシ８は、回転ヘッド５の外周面に周方向に３列配置され、かつ各列のワイヤブラシ８は周方向にずれて配置され、いわゆる千鳥状配置となっている。このようにワイヤブラシ８を配置することにより、岩盤Ｒの付着物Ｃをむら無く効率的に除去することができる。尚、ワイヤブラシ８の配置は上記で例示したもの限定されるものでない。
【００１４】
図４に例示するように、ワイヤブラシ８は多数本のストランド８ｂを撚って束ねたワイヤロープ８ａにより構成され、その一端部に金属スリーブ９が加締めて固定されている。ワイヤロープ８ａとしては、例えばＪＩＳ  Ｇ  ３５２５に規定されている種々の構造のものを使用することができ、一例を挙げればＪＩＳの構成記号でＩＷＲＣ６×Ｆｉ（２９）等を使用し、ワイヤロープ８ａの公称径を３１．５ｍｍ程度とする。尚、ワイヤブラシ８を構成するワイヤロープ８ａの仕様は、上記に例示したものに限定されるものではなく、作業現場の条件等に適した構造、ワイヤ径を選択する。ワイヤブラシ８の先端部は、わずかに溶接してほつれないようにしておくと、保管、移動、回転ヘッド５への取付けの際に安全に作業を行なうことができ、取扱い性も向上する。
【００１５】
回転ヘッド５の外周面には、ワイヤブラシ８の配列に対応するようにホルダ６が設けられ、このホルダ６にワイヤブラシ８の一端部の金属スリーブ９を装着することにより、回転ヘッド５にワイヤブラシ８が放射状に突設され、設定どおりに配置される。ホルダ６には取付けボルト６ａが設けられ、この取付けボルト６ａの締付け、解除により金属スリーブ９が着脱する構造となっている。これにより、ワイヤブラシ８と回転ヘッド５との着脱が容易にでき、摩耗したワイヤブラシ８の交換作業を迅速に行なうことができる。ホルダ６に設ける金属スリーブ９の着脱手段は取付けボルト６ａに限らず、他の構造にすることができる。
【００１６】
ベース部４には回転ヘッド５の半径方向外側に向けて突出するストッパ７が設けられている。このストッパ７の先端は、ワイヤブラシ８の根本位置と先端位置との間の中途の位置に設定されている。作業現場の条件等により、この範囲内でストッパ７の先端の位置が決定され、例えば、ワイヤブラシ８の突出長さの４０〜６０％程度の位置にする。
【００１７】
ストッパ７は、例えばベース部４に設けたボルト穴に螺合するボルト構造にして、ベース部４からの突出長さを調節できる伸縮可能な構成にする。これにより、作業現場に合わせてストッパ７の突出長さを迅速に設定することができる。
【００１８】
以下、海中岩盤付着物除去装置１による岩盤Ｒの付着物Ｃの除去作業を説明する。
水中バックホウ２を操作して作業対象となる岩盤Ｒに回転する回転ヘッド５を近づけ、回転するワイヤブラシ８を岩盤Ｒの付着物Ｃに繰り返し接触させる。ワイヤブラシ８を構成するワイヤロープ８ａのストランド８ｂは、付着物Ｃや岩盤Ｒに繰り返し接触することにより、撚りが徐々に解けて刷毛状になる。ほつれを防止するために、ワイヤブラシ８の先端をわずかに溶接している場合は、除去作業を開始してワイヤブラシ８が付着物Ｃや岩盤Ｒに繰り返し接触することにより、容易に溶接部が破壊してストランド８ｂの撚りが解けるようになる。
【００１９】
これにより、ワイヤロープ８ａは、岩盤Ｒの凹凸に馴染むように屈曲して岩盤Ｒの凹凸に密に追従するようになるとともに、ワイヤロープ８ａは、塑性変形しにくいので、むらの無いように付着物Ｃを岩盤Ｒから削り取ることができる。
【００２０】
このように、ワイヤブラシ８（ワイヤロープ８ａ）が岩盤Ｒの凹凸に追従して付着物Ｃを除去するので、岩盤Ｒ自体には過度な力が加わらず、除去作業の際に削られる岩盤Ｒの量を最小限にすることができる。
【００２１】
アタッチメント３のベース部４にはストッパ７が突設されているので、回転ヘッド５を岩盤Ｒに所定の距離よりも近づけると、ストッパ７が岩盤Ｒ（付着物Ｃ）に当接する。したがって、ベース部４や回転ヘッド５を岩盤Ｒに衝突させて破損するようなトラブルや岩盤Ｒを大規模に破砕するようなトラブルを防止することができる。
【００２２】
また、ストッパ７を岩盤Ｒ（付着物Ｃ）に当接させながら回転ヘッド５を移動させると、付着物Ｃに接触するワイヤブラシ８の長さを一定に保つことが出来る。これにより、付着物Ｃを除去する力を均一化し、安定した除去作業を行なうことができる。
【００２３】
順次、除去作業を終えた領域から次に領域に移動して同様に除去作業を行なうが、水深の浅い現場で除去作業をする場合には、水中バックホウ２に替えて、通常のバックホウのブームにアタッチメント３を装着して作業をすることもできる。
【００２４】
付着物Ｃの除去作業を終えた現場には、岩盤Ｒの削り片が散乱していないので、海藻類の新たな胞子が、これらに妨げられることなく岩盤Ｒに付着することができる。そのため、この岩盤Ｒには、例えば、ワカメ、カジメ、アラメ、ホンダワラ等の海藻類の胞子が付着して、繁殖し易くなり、これに伴い魚介類が生息し易い良好な魚場環境を形成することができる。
【図面の簡単な説明】
【００２５】
【図１】本発明の海中岩盤付着物除去装置を例示する側面図である。
【図２】図１の海中岩盤付着物除去アタッチメントを例示する側面図である。
【図３】図２のワイヤブラシを一部省略した正面図である。
【図４】図２のワイヤブラシとホルダの構造を示す説明図である。
【符号の説明】
【００２６】
１  海中岩盤付着物除去装置
２  水中バックホウ      ２ａ  ブーム
３  （海中岩盤付着物除去）アタッチメント
４  ベース部
５  回転ヘッド
６  ホルダ      ６ａ  取付けボルト
７  ストッパ
８  ワイヤブラシ      ８ａ  ワイヤロープ      ８ｂ  ストランド
９  金属スリーブ
Ｒ  岩盤      Ｃ  付着物
【図１】
0004664227.tif 000002
【図２】
0004664227.tif 000003
【図３】
0004664227.tif 000004
【図４】
0004664227.tif 000005